(57)【要約】本発明は複層ガラスのスペーサーに関するものであって、さらに詳細にはスペーサーの内層にアルミニウムまたはアルミニウム合金の補強材を一体に成形し、外側一面に断熱材を被覆することによってスペーサーの強度を向上させて、断熱性能を向上させるようにした複層ガラスのスペーサーに関するものである。  さらに本発明の構成は、上面１２０、両側面１３０、傾斜面１４０及び底面１５０からなっていて断面上内部に空間部１１０を備え、前記傾斜面１４０は両側面と底面とが連結される部分に切曲されていて、前記傾斜面１４０の両端に突出された補強部材１４５が形成されているし、前記上面１２０には一定の間隔で多数個の通孔１２５が備えられている通常の複層ガラスのスペーサー１００において、前記上面１２０を除いた両側面１３０と傾斜面１４０及び底面１５０とを被覆する一体型の断熱キャップ２００が備えられることを提供する。
2010514653.tif 000002
【特許請求の範囲】
【請求項１】
上面１２０、両側面１３０、傾斜面１４０及び底面１５０からなっていて、断面上内部に空間部１１０を備え、前記傾斜面１４０は両側面と底面が連結される部分に切曲されていて、前記傾斜面１４０は両端に突出された補強部材１４５が形成されていて、前記上面１２０には一定の間隔で多数個の通孔１２５が備えられている通常の複層ガラスのスペーサー１００において、
前記上面１２０を除いた両側面１３０と傾斜面１４０及び底面１５０とを被覆する一体型の断熱キャップ２００が備えられることを特徴とする複層ガラスのスペーサー。
【請求項２】
前記断熱キャップ２００の底面２１０に一定の間隔で多数個の通気口２１５を備えることを特徴とする請求項１に記載の複層ガラスのスペーサー。
【請求項３】
前記断熱キャップ２００がスペーサー１００の上面１２０と両側面１３０に被覆され、前記断熱キャップ２００の上部面２２０に一定の間隔で多数個の通孔２２５が備えられることを特徴とする請求項１に記載の複層ガラスのスペーサー。
【発明の詳細な説明】
【技術分野】
【０００１】
本発明は複層ガラスのスペーサーに関するものであって、さらに詳細にはスペーサーの内層にアルミニウムまたはアルミニウム合金の補強材を一体に成形し、外側一面に断熱材を被覆することによりスペーサーの強度を向上させて、断熱性能を向上させるようにした複層ガラスのスペーサーに関するものである。
【０００２】
周知のようにスペーサーは建物の室内と室外を区切る窓枠やシャシなどで設けられる複層ガラスを一定の間隔で維持するようにガラスの間に接合されるものである。このような複層ガラスは、断熱や騷音遮断のために広く使用されているし、前記複層ガラスの間にはスペーサーが設けられてガラスの間の空気層が安定的に維持されるようにするし、このようなスペーサーはたいていアルミニウム素材からなっているものである。
【０００３】
このように大部分のスペーサーは、熱伝導率の高いアルミニウム材質からなって複層ガラスの間において熱伝導されるので断熱效果が低下される問題点があり、弾性がないので取り扱い、施工過程において外力により変形されて使用不可能となる場合がある。
【背景技術】
【０００４】
このような問題点を勘案して大韓民国実用新案出願第1994-33373号（考案の名称：複層ガラス用のスペーサー、（以下‘引用考案１’という）が提案され、これを図１に示した。
【０００５】
示したように引用考案１は、上面中央部に長手方向に切開部１１が形成され、内側に防湿剤の充填用空間部が形成された複層ガラス用のスペーサー１００において、合成樹脂で圧出成形され、シリコーンと安定した接着ができるように下部両側の傾斜部１２に多数の縞模様の突条が形成され、両板ガラスとの接着が行われるように両側面に接着層１４を塗布形成して、前記接着層１４に接着紙１５を付着した。
【０００６】
このような引用考案１は、低い熱伝導率で断熱效果を得ることができる利点はあるが、その材質が合成樹脂なので、スペーサーをガラス面に接着する際に、曲がり易くなることによって形態が不安定で接着作業が非常に難しいので、施工性が不良になって作業能率が低下されるし、スペーサーの形態が変形されないように多数の作業者がガラス板を一緒に持って作業しなければならないので、人件費の負担が大きくなる問題点があった。
【０００７】
さらに、前記従来の問題点を解決するために登録実用第0402312号（登録の名称 : 二重窓ガラス用のスペーサー、以下‘引用考案２’という）において、スペーサー２０ａの内層にアルミニウムまたはアルミニウム合金からなった補強材１０ａが一体に成形され、外層にスペーサー２０ａが合成樹脂で成形され、スペーサー２０ａの上面には一定の間隔で通孔２１ａを形成した構造で提案していて、これを図２に示した。
【０００８】
示したように引用考案２に対する問題点は、一番目に、通孔が形成されている面、すなわち二重ガラス面の内部に挿入されるスペーサーの面は、ガラス面の内部と外部の温度差による現象で水分が発生されてスペーサーの通孔を介してスペーサーの内部に備えられた吸湿剤で水分を吸収し、水分及び結露のない透明な窓ガラスを見ることができるし、この際、スペーサーの通孔がある面が合成樹脂材からなっているので、長期間水分との接触により腐食が発生し、合成樹脂材の白化現象が起きて通孔の大きさの増加及び通孔が備えられた面の厚さが徐々に弱化される現象が起きる。
【０００９】
二番目に、冬季のような内外の気温の差が大きい場合、二重ガラス面の内部に水分及び結露が増加されることによりスペーサーが重要な役目をするようになるが、前記通孔が備えられたスペーサーの一面には合成樹脂材からなっているので、一部水分は通孔を介して吸湿剤で吸湿されるが、合成樹脂材の特性上、水分が合成樹脂材の表面に付いて水分たちが集まり大きい水玉が生ずるようになって二重ガラス面の内部に水が満ちる現象が起きる。 
【００１０】
三番目に、スペーサーの外層面が全て合成樹脂材からなっていて、スペーサーの両側面及び後面（通孔が備えられた面の反対面）において、ガラス面と接着されるスペーサーの両側面とガラスとを支持するアルミニウムシャシーのような支持ケースと接着される後面に、それぞれシーラントのような接着剤を使用するが、前記接着剤は合成樹脂とは相対するの性質を有しているので、剥離現象が起き合成樹脂材の表面を腐食させて接着させる接着剤を使用しているが、これは臨時的な接着方法の一つなので、主に使用されている接着剤であるシーラントは合成樹脂とは容易に接着できないためガラス面とスペーサーの離脱及び支持ケースとのスペーサー離脱が発生するようになる。
【００１１】
したがって、本発明の複層ガラスのスペーサーはアルミニウムまたはアルミニウム合金からなった補強材１０が一体に成形されて、その一部面に断熱材を被覆して従来のスペーサーで発生される水分の結露現象及びスペーサーの離脱などの問題点を解決したものである。
【先行技術文献】
【特許文献】
【００１２】
【特許文献１】大韓民国実用新案出願第１９９４−３３３７３号
【特許文献２】登録実用第０４０２３１２号
【発明の概要】
【発明が解決しようとする課題】
【００１３】
本発明は前記のような従来の問題点を解決するために案出されたものであって、複層ガラスのスペーサーの外層部に付着される構造により断熱キャップを被覆して一体型に製造することにより断熱性能を向上させて、ガラスまたは接着剤との接着力を強化して外部との空気を遮断する密閉效果を向上させるための複層ガラスのスペーサーを提供することにある。
【発明の効果】
【００１４】
前記のように本発明はアルミニウムまたはアルミニウム合金からなった複層ガラスのスペーサーの両側面と傾斜面及び底面または上面と両側面とを被覆する断熱キャップを備えることによって、温度差による二重ガラスの内部に発生される結露現象を防ぐことができるし、また金属材のスペーサーから発生される水分面着現象を防ぐことができるし、本発明の断熱キャップの構造によって外部との空気を密閉させるために接着力の強化及び断熱效果を高める有用な效果がある。
【図面の簡単な説明】
【００１５】
【図１】従来の複層ガラスのスペーサーの斜視図１である。
【図２】従来の複層ガラスのスペーサーの斜視図２である。
【図３】本発明にかかる複層ガラスのスペーサーの斜視図１である。
【図４】図３の本発明にかかる複層ガラスのスペーサーの吸湿剤を抜いた内部斜視図である。
【図５】図３の本発明にかかる複層ガラスのスペーサーの分離斜視図である。
【図６】図３の本発明にかかる複層ガラスのスペーサーの断面図である。
【図７】図３の本発明にかかる複層ガラスのスペーサーを窓ガラスに設ける前の組み立て分解斜視図である。
【図８】図３の本発明にかかる複層ガラスのスペーサーを窓ガラスに設けた後の組み立て断面図である。
【図９】図３の本発明にかかる複層ガラスのスペーサーの通気口が備えられた断熱キャップの分離斜視図である。
【図１０】図３の本発明にかかる複層ガラスのスペーサーの通気口が備えられた断熱キャップの正面図である。
【図１１】図１０の本発明にかかる複層ガラスのスペーサーのＡ−Ａ部位の断面図である。
【図１２】本発明にかかる複層ガラスのスペーサーの斜視図２である。
【図１３】図１２の本発明にかかる複層ガラスのスペーサーの分離斜視図である。
【図１４】図１２の本発明にかかる複層ガラスのスペーサーの断面図である。
【発明を実施するための形態】
【００１６】
前記既存に開発されたスペーサー図１と図２にて表現されたように、本発明は上面１２０、両側面１３０、傾斜面１４０及び底面１５０からなり断面上内部に空間部１１０を備えて、前記傾斜面１４０は両側面と底面が連結される部分に切曲されていて、前記傾斜面１４０は両端に突出された補強部材１４５が形成されていて、前記上面１２０には一定の間隔で多数個の通孔１２５が備えられている通常の複層ガラスのスペーサー１００において、前記上面１２０を除いた両側面１３０と傾斜面１４０及び底面１５０を被覆する一体型の断熱キャップ２００が備えられることを図３に示したように、提供する複層ガラスのスペーサー（以下‘スペーサー’という）である。
【００１７】
図５に示したように前記断熱キャップ２００は、スペーサー１００の両側面１３０と傾斜面１４０及び底面１５０と同一する形象で前記スペーサー１００の両側面１３０と傾斜面１４０及び底面１５０に被覆されて一体型を成すものであって、被覆される原理は、前記断熱キャップ２００はゴムまたはＰ．Ｖ．Ｃ．の材質からなって、前記スペーサー１００の両側面１３０と傾斜面１４０及び底面１５０の同一する形象を有しているが、前記スペーサー１００の両側面１３０と傾斜面１４０及び底面１５０を受容して、前記スペーサー１００の上面１２０の端部にかかるように断熱キャップ２００の両側面部端部を延ばして切曲された形象を有していて、前記スペーサー１００を断熱キャップ２００にスライディング方式で設けるようになっているし、また前記スペーサー１００の両側面１３０と傾斜面１４０及び底面１５０とを受容するための断熱キャップ２００の空間が狭小で密着した形態でスペーサー１００の両側面１３０と傾斜面１４０及び底面１５０とを受容して被覆するように断熱キャップ２００を提供することができる。
【００１８】
前記図５に示した本発明の複層ガラスのスペーサーの設置を図７のスペーサーを設ける前の組み立て分離図のように設けると、設置後、図３と図５の本発明のスペーサー設置断面図を図８に詳しく示した。
【００１９】
この際、図８のように断熱キャップ２００の底面２１０は、前記スペーサー１００の両側部に設けられるガラス６００と面接される空間部にシーラント７００のような接着剤で満たされてスペーサー１００を支持するようになるが、この際、シーラント７００はゴムまたはＰ．Ｖ．Ｃ．とは互いに接着される接着力が劣り、本発明では図９と図１０に示したように断熱キャップ２００の底面２１０に一定の間隔で多数個の通気口２１５を備えて、前記スペーサー１００に断熱キャップ２００を被覆の時、前記断熱キャップ２００に備えられた通気口２１５を介してスペーサー１００の底面１５０が露出され、すなわち、アルミニウムまたはアルミニウム合金からなったスペーサー１００の底面１５０が露出されてシーラント７００との接着力がさらに強まる。
【００２０】
これによりスペーサー１００は、スペーサー１００の両側部に設けられたガラス６００と強い接着力と、これによる密閉でスペーサー１００が離脱されることを防止することができるし、外部からの水分が二重ガラス面の中に浸透されることを防ぐことができる。
【００２１】
ここで、スペーサー１００の傾斜面１４０の両端に突出された補強部材１４５が形成されていることは、シーラント７００との接着力による応力を強化するために前記補強部材１４５が備えられることであり、またシーラント７００との接着外に断熱キャップ２００の両側面に接着剤をコーティングしてガラス６００面との接着をさらに強化することができる。
【００２２】
また、図１２と図１３に示したように、複層ガラスが使用される環境的な条件によって、前記断熱キャップ２００がスペーサー１００の上面１２０と両側面１３０が同一する形象で前記スペーサー１００の上面１２０と両側面１３０に被覆されて一体型を成すことによって、前記断熱キャップ２００の上部面２２０に一定の間隔で多数個の通孔２２５が備えられていることを提供することができる。
【００２３】
前記のように断熱キャップ２００がスペーサー１００の上面１２０と両側面１３０に被覆されることによって、アルミニウムまたはアルミニウム合金で構成されたスペーサー１００の空間部１１０にシリカゲルのような吸湿剤３００が二重ガラス６００面に発生される水分を吸湿しながら、水分によるスペーサーの急激な温度差によってスペーサー１００の上面１２０に微細な水分が面着するようになるが、これは吸湿剤３００によっても除くことができないものであって、これを防止するためにスペーサー１００の上面１２０をカバーする断熱キャップ２００が備えられることによって、スペーサー１００の空間部１１０に備えられた吸湿剤３００により吸湿された水分が再び外部に放出されることを防ぐことができる。
【００２４】
すなわち、スペーサー１００の空間部１１０に受容された吸湿剤３００に水分が吸湿されるによって、空間部１１０では温度差が発生しスペーサー１００の材質が金属材によりスペーサー１００の上面１２０に水分が面着されていて、このような水分がスペーサー１００の上面１２０に面着されることを防ぐため、スペーサー１００の空間部１１０で発生される急激な温度差を減らすために、断熱キャップ２００をスペーサー１００の上面１２０に被覆することによってこれを防止することができる。
【００２５】
このような図４及び図１２に示した本発明によるスペーサー１００の空間部１１０の内部に両端に係止突起４１０が多数個備えられた直角になった連結口４００を挿入させて、図７に示したように窓枠やシャシと同一する大きさの四角形態にスペーサー組み立て体５００を完成し、これの断熱キャップ２００の両側面に接着剤を用いて接着させ両側面にガラス６００を接着させた後、スペーサー１００の底面１５０と対称される二重ガラス６００の間に備えられた空間部にシーラント７００のような接着剤を塗ると複層ガラスが完成される。
【符号の説明】
【００２６】
１００      スペーサー
１１０      空間部
１２０      上面
１２５      通孔
１３０      両側面
１４０      傾斜面
１４５      補強部材
１５０      底面
２００      断熱キャップ
２１０      底面
２１５      通気口
２２０      上部面
２２５      通孔
３００      吸湿剤
４００      連絡口
４１０      係止突起
５００      スペーサー組み立て体
６００      ガラス
７００      シーラント
【図１】
2010514653.tif 000003
【図２】
2010514653.tif 000004
【図３】
2010514653.tif 000005
【図４】
2010514653.tif 000006
【図５】
2010514653.tif 000007
【図６】
2010514653.tif 000008
【図７】
2010514653.tif 000009
【図８】
2010514653.tif 000010
【図９】
2010514653.tif 000011
【図１０】
2010514653.tif 000012
【図１１】
2010514653.tif 000013
【図１２】
2010514653.tif 000014
【図１３】
2010514653.tif 000015
【図１４】
2010514653.tif 000016
【国際調査報告】
2010514653.tif 000017
2010514653.tif 000018